(57)【特許請求の範囲】
【請求項１】
燃焼検知用フレームロッドと、前記燃焼検知用フレームロッドへ電圧を印加する交流電源回路と、前記燃焼検知用フレームロッドに流れる電流により燃焼信号を発生し、燃焼信号が有る場合は第１のクロックパルス電圧信号に変換し、燃焼信号が無い場合はクロックパルス電圧信号を発生しない第１の変換手段と、前記第１のクロックパルス電圧信号を逆位相に変換し、第２のクロックパルス電圧信号を発生する第２の変換手段と、前記第２の変換手段からの入力された信号電圧のレベルで燃焼状態を監視するマイコンとを備え、前記マイコンは前記第２の変換手段から第２のクロックパルス電圧信号が入力されたとき、燃焼状態であると判断するようにしたガス調理機器の制御回路。
【請求項２】
前記第２のクロックパルス電圧信号を交流電源周波数と非同期の第３のクロックパルス電圧信号に変換する第３の変換手段を備えた請求項１記載のガス調理機器の制御回路。
【請求項３】
前記第３の変換手段をマイコンにて構成したことを特徴とする請求項２記載のガス調理機器の制御回路。
【請求項４】
前記第３の変換手段を電子部品にて構成したことを特徴とする請求項２記載のガス調理機器の制御回路。
【発明の詳細な説明】
【０００１】
【発明の属する技術分野】
本発明はガス調理機器に関し、特にその燃焼検知装置の安全性を向上することに関する。
【０００２】
【従来の技術】
近年、燃焼機器、特にガス調理機器においては安全性の向上のため、立ち消え安全装置、燃焼検知装置や、油調理時に消し忘れ等で起こる火災防止等の安全装置の普及が進んでおり、低価格のガス調理機器にも搭載の必要性が高まってきた。
【０００３】
図２によりは従来のガス調理機器の燃焼検知回路について説明する。図において電源がＯＮされると交流電源３より電流１０が流れる。この電流により電界効果型トランジスタ５がＯＮとなり、マイコン１１の端子Ａからの出力電流はこの電界効果型トランジスタを通りアースへ流れる。
【０００４】
次に燃焼状態になるとフレームロッド４にフレームロッド電流９が流れる。これは燃焼状態では燃焼部分の抵抗が非燃焼時の空気抵抗より著しく低くなるためである。このため電流１０が流れなくなり、電界効果型トランジスタ５はＯＦＦの状態となる。従って、マイコン１１の端子Ａからの出力電流は端子Ｂに入力されることになる。
【０００５】
すなわち、前記フレームロッド電流９を電界効果型トランジスタ５にてマイコン１１から出力された、交流電源３の周波数と同等のクロックパルス電圧信号１７に変換され、前記クロックパルス電圧信号１７をマイコン１１に入力することによりガス調理機器の燃焼状態を監視する回路である。燃焼状態の時は前記クロックパルス電圧信号１７が入力され、非燃焼状態の時は０Ｖが入力される。
【０００６】
【発明が解決しようとする課題】
しかしながら上記の従来の構成では、燃焼検知用のフレームロッド４からの電流による燃焼信号を、クロックパルス電圧信号１７に変換し、前記クロックパルス電圧信号１７をマイコン１１に入力し電圧のレベルで燃焼状態を監視する方法では、前記クロックパルス電圧信号１７に変換する変換装置のパターンと、前記マイコン１１の入力ポートのパターン間で、ショート故障した場合、疑似的な燃焼信号が構成されるため、煮こぼれ等により失火しているにも関わらず着火しているとマイコン１１が判断しガスの弁を開状態に保持するため、生ガスが流出する。
【０００７】
また、前記クロックパルス電圧信号１７が交流電源３の周波数と同等のクロックパルス電圧信号１７では、電源ノイズが発生した場合、前記クロックパルス電圧信号１７と同期した疑似的な燃焼信号が構成されるため、煮こぼれ等により失火しているにも関わらず着火しているとマイコン１１が判断しガスの弁を開状態に保持するため、生ガスが流出する。
【０００８】
そこで本発明は、上記従来の欠点を解決するガス調理機器の制御回路で、安全性を第１の目的とし、経済的に構成する事を第２の目的とする。
【０００９】
【課題を解決するための手段】
前記目的を達成するため本発明は、燃焼検知用フレームロッドと、前記燃焼検知用フレームロッドへ電圧を印加する交流電源回路と、前記燃焼検知用フレームロッドに流れる電流により燃焼信号を発生し、燃焼信号が有る場合は第１のクロックパルス電圧信号に変換し、燃焼信号が無い場合はクロックパルス電圧信号を発生しない第１の変換手段と、前記第１のクロックパルス電圧信号を逆位相に変換し、第２のクロックパルス電圧信号を発生する第２の変換手段と、前記第２の変換手段からの入力された信号電圧のレベルで燃焼状態を監視するマイコンとを備え、前記マイコンは前記第２の変換手段から第２のクロックパルス電圧信号が入力されたとき、燃焼状態であると判断するようにしたものである。
【００１０】
この構成により、燃焼検知用フレームロッドからの電流による燃焼信号を第１のクロックパルス電圧信号に変換させ、前記第１のクロックパルス電圧信号を逆位相に変換し、第２のクロックパルス電圧信号を構成することにより、前記第１のクロックパルス電圧信号に変換する変換装置とマイコンの入力ポートと隣接した状態で、部品故障等によりパターン間ショートとした場合でも、電圧レベルが逆位相のためマイコンが異常と判断し、ガスの弁を閉状態に制御し、煮こぼれ等により失火しても生ガスが流出することがないようにすることができる。
【００１１】
【発明の実施の形態】
上記目的を達成するために、本発明のガス調理機器の制御回路の第１の手段は、燃焼検知用フレームロッドに流れる電流により燃焼信号を発生し、燃焼信号が有る場合は第１のクロックパルス電圧信号に変換し、燃焼信号が無い場合はクロックパルス電圧信号を発生しない第１の変換手段と、前記第１のクロックパルス電圧信号を逆位相に変換し、第２のクロックパルス電圧信号を発生する第２の変換手段と、前記第２の変換手段からの入力された信号電圧のレベルで燃焼状態を監視するマイコンとを備え、前記マイコンは前記第２の変換手段から第２のクロックパルス電圧信号が入力されたとき、燃焼状態であると判断するようにしたものである。
【００１２】
また、本発明の第２の手段は、前記第２のクロックパルス電圧信号を交流電源周波数と非同期の第３のクロックパルス電圧信号に変換する第３の変換手段を備えた構成とした。
【００１３】
また、本発明の第３手段は前記第３のクロックパルス電圧信号を構成するためにマイコンを用いたものである。
【００１４】
また、本発明の第４手段は前記第３のクロックパルス電圧信号を構成するために電子部品を用いたものである。
【００１５】
以下、本発明の作用について記載する。
本発明の第１手段によれば、燃焼検知用フレームロッドからの電流による燃焼信号を第１のクロックパルス電圧信号に変換させ、前記第１のクロックパルス電圧信号を逆位相に変換し、第２のクロックパルス電圧信号を構成することにより、前記第１のクロックパルス電圧信号に変換する変換装置とマイコンの入力ポートと隣接した状態で、部品故障等によりパターン間ショートとした場合でも、電圧レベルが逆位相のためマイコンが異常と判断し、ガスの弁を閉状態に制御し、煮こぼれ等により失火しても生ガスが流出することの無いガス調理機器の制御回路である。また、前記第２のクロックパルスを構成する変換手段を汎用のＩＣで構成すれば、容易に、経済的に構成可能であり、簡素化された回路であるため故障率が低いガス調理機器の制御回路となる。
【００１６】
また、第２手段によれば、前記第２のクロックパルスを電源周波数とは異なる第３のクロックパルス電圧信号に変換させることにより、電源周波数に同期した電源ノイズが発生し、前記第２のクロックパルス電圧信号と同期したクロックパルス電圧信号形成しても、周波数が異なるためマイコンに入力される電圧レベルの位置も異なり、マイコンが異常と判断し、ガスの弁を閉状態に制御し、煮こぼれ等により失火しても生ガスが流出しガス爆発を起こす危険性の無いガス調理機器の制御回路となる。
【００１７】
また、第３手段によれば、第３のクロックパルス電圧信号をマイコンで構成することにより、容易にクロックパルス電圧信号が構成可能である。
【００１８】
また、第４手段によれば、第３のクロックパルス電圧信号を電子部品で構成することにより、経済的にクロックパルス電圧信号が構成可能である。
【００１９】
以下本発明の実施の形態について、図面を参照しながら説明する。
図１は本発明の燃焼検知回路を示し、ガス調理機器が燃焼状態になるとフレームロッド４からフレームロッド電流９が流れる。前記フレームロッド電流９を電界効果型トランジスタ５にてマイコン１から出力された第１のクロックパルス電圧信号７にマイコン１内の第１の変換手段により変換される。前記第１のクロックパルス電圧信号７を位相反転素子６を用いて前記第１のクロックパルス電圧信号７を逆位相に変換し、第２の変換手段により第２のクロックパルス電圧信号８を構成し、前記第２のクロックパルス電圧信号８をマイコン１に入力することによりガス調理機器の燃焼状態を監視する回路である。燃焼状態の時は前記第２のクロックパルス電圧信号８が入力され、非燃焼状態の時は０Ｖが入力される。
【００２０】
尚、本実施の形態の前記第１のクロックパルス電圧信号７は、マイコン１より出力される際に第３の変換手段であるマイコン１により、交流電源３の周波数とは異なる第３のクロックパルス電圧信号に変換されたクロックパルス電圧信号である。また、前記第３の変換手段は電子部品でも構成することが可能である。
【００２１】
【発明の効果】
以上の説明から本発明の請求項１によるガス調理機器の制御回路では、燃焼検知用フレームロッドからの電流による燃焼信号を第１のクロックパルス電圧信号に変換させ、前記第１のクロックパルス電圧信号を逆位相に変換し、第２のクロックパルス電圧信号に変換することにより、前記第１のクロックパルス電圧信号に変換する変換装置のパターンと、前記マイコンの入力ポートのパターン間で、ショート故障した場合でも、疑似的な燃焼信号は構成されることはなく、煮こぼれ等により失火しているにも関わらず着火しているとマイコンは誤判断しない。従って、煮こぼれ等により失火しても生ガスの流出の無いガス調理機器を市場に提供できる。また、前記第２のクロックパルスを構成する変換手段を汎用のＩＣで構成すれば、容易に、低コストで構成可能であるため、低価格ガス調理器へも搭載可能であり、市場での安全商品の普及率が高まり、簡素化された回路であるため、構造がシンプルとなる。
【００２２】
また、本発明の請求項２では、前記第２のクロックパルス電圧信号を電源周波数とは異なる第３のクロックパルス電圧信号に変換させることにより、電源ノイズが発生し、前記第２のクロックパルス電圧信号と同期した場合でも、疑似的な燃焼信号は構成されないため、煮こぼれ等により失火しているにも関わらず着火しているとマイコンは誤判断しない。従って、煮こぼれ等により失火しても生ガスの流出の無いガス調理機器を市場に提供可能である。
【００２３】
また、本発明の請求項３では、第３のクロックパルス電圧信号をマイコンで構成することにより、容易にクロックパルス電圧信号が構成可能であるため、構造がシンプルで故障しにくい。
【００２４】
また、本発明の請求項４では、第３のクロックパルス電圧信号を電子部品で構成することにより、経済的にクロックパルス電圧信号が構成可能であるため、低価格ガス調理器へも搭載可能であり、市場での安全商品の普及率を高めることができる。
【図面の簡単な説明】
【図１】本発明の一実施の形態のガス調理機器の燃焼検知回路図
【図２】従来のガス調理機器の燃焼検知回路図
【符号の説明】
１  マイコン
２  直流５Ｖ電源
３  交流電源
４  フレームロッド
７  第１のクロックパルス電圧信号
８  第２のクロックパルス電圧信号
９  フレームロッド電流
【図１】
0003758216.tif 000002
【図２】
0003758216.tif 000003